(57)【要約】【課題】自車両と周辺車両との位置関係を現実世界での前後関係と対応されて表現することができ、また運転者等の視認者に与える情報の重要性に優劣を付けて表現することができる車両用表示装置を提供する。【解決手段】透過反射板３を透してアナログ式メータ２の表示と液晶表示パネル４の虚像表示とを重畳表示する構成において、パネル移動機構８により液晶表示パネル４をスライド移動可能に設けることで、視認者の視線上におけるアナログ式メータ２の表示と液晶表示パネル４の虚像表示との前後方向における位置関係を変更する。これにより、自車両と周辺車両との位置関係を現実世界での前後関係と対応されて表現することができ、また運転者等の視認者に与える情報の重要性に優劣を付けて表現することができる。【選択図】図２
2014228370.tif 000002
【特許請求の範囲】
【請求項１】
車両に搭載されて運転者等の視認者に情報表示を行う車両用表示装置において、
視認者に情報を表示する表示手段と、
該表示手段の前方に配置されるとともにその表示手段の表示を前方から透視可能にする透過反射板と、
その透過反射板を透して結像された虚像表示を前記表示手段の表示と重ねて表示する画像表示手段と、
前記透過反射板を透して表示される前記画像表示手段の虚像表示と前記表示手段の表示との前後方向における位置関係を変更する表示位置変更手段と、を備えることを特徴とする車両用表示装置。
【請求項２】
前記表示位置変更手段は、前記画像表示手段を移動させてその画像表示手段と前記透過反射板との間の距離を変更することにより、画像表示手段の虚像表示と前記表示手段の表示との前後方向における位置関係を変更する画像表示移動手段から構成される請求項１に記載の車両用表示装置。
【請求項３】
前記画像表示手段は少なくとも２つ以上で構成され、そのうちの少なくとも１つの画像表示手段は、前記画像表示移動手段により移動可能に設けられて、その虚像表示と前記表示手段の表示との前後方向における位置関係を変更する請求項２に記載の車両用表示装置。
【請求項４】
前記表示位置変更手段は、前記表示手段を移動させてその表示手段と前記透過反射板との間の距離を変更することにより、表示手段の表示と前記画像表示手段の虚像表示との前後方向における位置関係を変更する表示移動手段から構成される請求項１に記載の車両用表示装置。
【請求項５】
前記表示手段は少なくとも２つ以上で構成され、そのうちの少なくとも１つの表示手段は、前記表示移動手段により移動可能に設けられて、その表示と前記画像表示手段の虚像表示との前後方向における位置関係を変更する請求項４に記載の車両用表示装置。
【請求項６】
前記表示位置変更手段は、前記透過反射板を移動させてその透過反射板と前記表示手段及び前記画像表示手段との間の距離を変更することにより、表示手段の表示と画像表示手段の虚像表示との前後方向における位置関係を変更する透過反射板移動手段から構成される請求項１に記載の車両用表示装置。
【請求項７】
前記透過反射板は少なくとも２つ以上で構成され、そのうちの少なくとも１つの透過反射板は、前記透過反射板移動手段により移動可能に設けられて、前記表示手段の表示と前記画像表示手段の虚像表示との前後方向における位置関係を変更する請求項６に記載の車両用表示装置。
【請求項８】
前記透過反射板は、少なくとも２つ以上の段差が付いた形状に形成され、その透過反射板の各段差面で作られる虚像の結像位置を異ならせることで前記表示位置変更手段を構成する請求項１に記載の車両用表示装置。
【発明の詳細な説明】
【技術分野】
【０００１】
本発明は、車両に搭載されて運転者等の視認者に情報表示を行う車両用表示装置に関する。
【背景技術】
【０００２】
従来、車両に搭載されて運転者等の視認者に情報表示を行う車両用表示装置として、例えば特許文献１に開示されているように、表示手段としてのアナログ式メータの表示に対して虚像を重畳表示するものが提案されている。また、特許文献２には、画像表示手段としての液晶表示パネルによって立体感ある虚像を表示するものが開示されており、さらには、このような液晶表示パネルの虚像表示をアナログ式メータの表示に重畳するものが提案されている（特許文献３参照）。
画像表示手段の虚像表示を表示手段の表示に重畳する車両用表示装置の特徴としては、立体的な表現と情報の可変性を両立できることにある。しかしながら、このような車両用表示装置を構成する表示手段の表示、及び画像表示手段の虚像表示は、各々のレイアウトが固定されており、一意の前後関係しか表示することができない。そのため、自車両と周辺車両との位置関係を現実世界での前後関係と対応されて表現することや、運転者等の視認者に与える情報の重要性に優劣を付けて表現することができなかった。
【先行技術文献】
【特許文献】
【０００３】
【特許文献１】特許第４７１４５１５号公報
【特許文献２】特開２００８−２５７０２１号公報
【特許文献３】特開平９−２５７５２３号公報
【発明の概要】
【発明が解決しようとする課題】
【０００４】
本発明の課題は、自車両と周辺車両との位置関係を現実世界での前後関係と対応されて表現することができ、また運転者等の視認者に与える情報の重要性に優劣を付けて表現することができる車両用表示装置を提供することにある。
【課題を解決するための手段及び発明の効果】
【０００５】
上記の課題を解決するために、本発明は、
車両に搭載されて運転者等の視認者に情報表示を行う車両用表示装置において、
視認者に情報を表示する表示手段と、
該表示手段の前方に配置されるとともにその表示手段の表示を前方から透視可能にする透過反射板と、
その透過反射板を透して結像された虚像表示を前記表示手段の表示と重ねて表示する画像表示手段と、
前記透過反射板を透して表示される前記画像表示手段の虚像表示と前記表示手段の表示との前後方向における位置関係を変更する表示位置変更手段と、を備えることを特徴とする。
【０００６】
このように、透過反射板を透して表示手段の表示と画像表示手段の虚像表示とを重畳表示する構成において、表示手段の表示と画像表示手段の虚像表示との前後関係を表示位置変更手段により変更する。これにより、画像表示手段の虚像表示及び表示手段の表示のいずれか一方で自車両を表示する一方、他方で周辺車両を表示するようにすれば、自車両が周辺車両を追い抜いたりあるいは周辺車両が自車両を追い抜く等の動きを、画像表示手段の虚像表示と表示手段の表示との位置関係を変更する表示で再現することができるので、自車両と周辺車両との位置関係を現実世界での前後関係と対応されて表現することができる。また、画像表示手段の虚像表示及び表示手段の表示のいずれか一方で運転者等の視認者に与える情報のうち重要性の高いものを表示する一方、他方で重要性の低いものを表示するようにすれば、重要性の高い情報を視認者側に近い位置で表示して重要性の低い情報を視認者側から遠い位置で表示する等で表すことができるので、運転者等の視認者に与える情報の重要性に優劣を付けて表現することができる。
【図面の簡単な説明】
【０００７】
【図１】本発明の一実施形態における車両用表示装置を構成する液晶表示パネル、アナログ式メータ、及び透過反射板を示す断面図。
【図２】パネル移動機構により液晶表示パネルを移動させることで、液晶表示パネルの虚像表示とアナログ式メータの表示との前後関係を変更する第１実施形態の変更方法を説明するための模式図。
【図３】ＬＭ（Ｌｉｎｅａｒ  Ｍｏｔｉｏｎ）ガイドから構成されるパネル移動機構を示す断面図。
【図４】同じくパネル移動機構を示す断面図。
【図５】パネル移動機構により液晶表示パネルを移動する第１実施形態の変形例を示す模式図。
【図６】メータ移動機構によりアナログ式メータを移動させることで、液晶表示パネルの虚像表示とアナログ式メータの表示との前後関係を変更する第２実施形態の変更方法を説明するための模式図。
【図７】メータ移動機構によりアナログ式メータを移動する第２実施形態の変形例を示す模式図。
【図８】ミラー移動機構により透過反射板を移動させることで、液晶表示パネルの虚像表示とアナログ式メータの表示との前後関係を変更する第３実施形態の変更方法を説明するための模式図。
【図９】ミラー移動機構により透過反射板を移動する第３実施形態の変形例を示す模式図。
【図１０】透過反射板を段差状に形成することで、液晶表示パネルの虚像表示とアナログ式メータの表示との前後関係を変更する第４実施形態の変更方法を説明するための模式図。
【発明を実施するための形態】
【０００８】
〔第１実施形態〕
以下、本発明の車両用表示装置の一実施形態について図面を参照して説明する。図１に示すように、車両用表示装置１は、車両の車室内の前方に設けられたインストルメントパネル１０に取り付けられる。この車両用表示装置１は、情報をアナログ式に表示するアナログ式メータ２（本発明の表示手段）と、該アナログ式メータ２の前方に配置されるとともにそのアナログ式メータ２の表示を前方から透視可能にする透過反射板３と、透過反射板３を透して結像された虚像表示をアナログ式メータ２の表示と重ねて表示するＴＦＴ（Ｔｈｉｎ  Ｆｉｌｍ  Ｔｒａｎｓｉｓｔｏｒ）型の液晶表示パネル４（本発明の画像表示手段）と、を備えている。
【０００９】
アナログ式メータ２は、ムーブメント５の駆動に基づいて回転する指針６を備え、指針６の裏面側には、その指針６が車両速度やエンジン回転数として指し示す目盛り部や異常発生時に警告表示を行う警告表示部を形成した文字板７が設けられる。文字板７は、例えば板厚が０．５ｍｍのアクリル系樹脂等の光透過性樹脂よりなり、文字板７の裏側に取り付けられた図示しない光源（直管状冷陰極管）と透明樹脂製の導光体（プリズム）により目盛り部や警告表示部の発光表示を可能にしている。指針６は、指針光源を内蔵して自ら光輝する自発光型である。そして、アナログ式メータ２は、車両速度やエンジン回転数の計測量データに応じたムーブメント５の駆動に基づいて、ムーブメント５の回転軸に装着された指針６を回転することにより車両速度やエンジン回転数をアナログ表示する。
【００１０】
透過反射板３は、運転者等の視認者の視線と平行方向の光を透過させ、運転者の視線に対して傾斜した方向の光を反射する半透鏡である。この透過反射板３は、アナログ式メータ２と液晶表示パネル４との間で斜めに取り付けられる。視認者側となる透過反射板３の前方には、車両用表示装置１の表示、すなわち後述する透過反射板３を透した液晶表示パネル４の虚像表示及びアナログ式メータ２の表示を視認可能に被覆する透明なウインドプレート１１がインストルメントパネル１０に取り付けられる。
【００１１】
液晶表示パネル４は、例えば視認者に経路案内情報や車両状態情報等の表示画像をグラフィック表示するものであり、インストルメントパネル１０側のクラスタ１２の内部に取り付けられる。この液晶表示パネル４は、透過反射板３の上方に配置されて、視認者の視線上で透過反射板３を透して、虚像表示としてアナログ式メータ２の表示と重ねて表示される。なお、液晶表示パネル４は、その画像表示面４ａがアナログ式メータ２の表示面２ａに対して直交するように配置される。液晶表示パネル４とアナログ式メータ２との間で斜めに取り付けられる透過反射板３は、液晶表示パネル４及びアナログ式メータ２との間の傾斜角度がそれぞれ４５°になるように配置される。
【００１２】
具体的な車両用表示装置１の表示としては、まずキースイッチを回してエンジンを始動して車両用表示装置１の光源等を点灯することでアナログ式メータ２（指針６及び文字板７）が発光すると、視認者は、透過反射板３及びウインドプレート１１を通過してアナログ式メータ２の発光表示により車両速度やエンジン回転数等を認識する。また、液晶表示パネル４に画像を表示させると、視認者は、透過反射板３を透して見える虚像表示を視認できる。これにより、視認者は、アナログ式メータ２の表示（車両速度やエンジン回転数等の表示）と液晶表示パネル４の虚像表示（経路案内情報や車両状態情報等の表示）とを重ねて認識することができる。
【００１３】
また、本実施形態の車両用表示装置１は、図２に示すように、液晶表示パネル４をスライド移動させるパネル移動機構８（本発明の表示位置変更手段及び画像表示移動手段）を備えている。パネル移動機構８は、周知のＬＭ（Ｌｉｎｅａｒ  Ｍｏｔｉｏｎ）ガイドから構成されて、液晶表示パネル４の前後両端にそれぞれ設けられる。このパネル移動機構８は、図３に示すように、インストルメントパネル１０側に固定して取り付けられるＬＭレール８ａと、該ＬＭレール８ａに沿って進退移動可能に、かつ先端部分が液晶表示パネル４に固定して取り付けられるＬＭブロック８ｂと、該ＬＭブロック８ｂに形成されたラックギア８ｃと歯合するピニオンギア８ｅを有してインストルメントパネル１０側に回転自在に取り付けられるピニオン８ｄと、該ピニオン８ｄの回転中心にモータ軸８ｇが一体的に取り付けられるステップモータ８ｆと、を備えている。
【００１４】
そして、パネル移動機構８は、図４に示すように、ステップモータ８ｆの駆動に基づいてピニオン８ｄを回転させ、そのピニオン８ｄの回転動作をピニオンギア８ｅとラックギア８ｃの係合により、ＬＭレール８ａに沿ったＬＭブロック８ｂの進退動作に換えることで、液晶表示パネル４をＬＭレール８ａに沿ってスライド移動させる。ＬＭレール８ａの条設方向は、液晶表示パネル４の画像表示面４ａと直交する方向に設定される。これにより、液晶表示パネル４は、画像表示面４ａと直交する方向にスライド移動する。
【００１５】
以上のように、第１実施形態の構成によれば、液晶表示パネル４にパネル移動機構８を設けることで、図２に示すように、パネル位置Ａ（透過反射板３に最も近づいた位置）とパネル位置Ｂ（透過反射板３から最も遠ざかった位置）との間での液晶表示パネル４のスライド移動を可能にしている。これにより、液晶表示パネル４と透過反射板３との間の距離を変更して、透過反射板３を透して視認できる液晶表示パネル４の虚像位置を異ならせるようになっている。具体的に、液晶表示パネル４がパネル位置Ａに移動したときの液晶表示パネル４の虚像表示ＫＡは、視認者の視線上においてアナログ式メータ２の表示（表示面２ａ）とほぼ同一の位置で重ねて表示される。一方、液晶表示パネル４がパネル位置Ｂに移動したときの液晶表示パネル４の虚像表示ＫＢは、視認者の視線上においてアナログ式メータ２の表示（表示面２ａ）よりも後方の位置で重ねて表示される。
【００１６】
そして、通常の運転状態では、液晶表示パネル４をパネル位置Ａに配置することで、液晶表示パネル４の虚像表示ＫＡすなわち経路案内情報や車両状態情報等の表示をアナログ式メータ２の表示（車両速度や警告表示部等の表示）とほぼ同一の位置で表示する。これに対して、異常が発生した場合には、液晶表示パネル４をパネル位置Ｂに移動させることで、警告表示部で警告表示を行うアナログ式メータ２の表示位置よりも液晶表示パネル４の虚像表示ＫＢ（経路案内情報や車両状態情報等の表示画像）を後方に位置させる。これにより、アナログ式メータ２の表示（警告表示部での警告表示）を重要性の高い情報として表示させることができるので、異常が発生したことをいち早く運転者等の視認者に認識させることができる。
【００１７】
なお、実施形態中では、指針６と文字板７を備えたアナログ式メータ２により本発明の表示手段を構成しているが、この構成に限定されるものではなく、運転者等の視認者に対して視認させる情報を表示するものであれば、表示手段はいずれの構成であってもよい。また、本発明の画像表示手段としてＴＦＴ型の液晶表示パネル４を例示しているが、この構成に限定されるものではなく、ＭＩＭ（Ｍｅｔａｌ  Ｉｎ  Ｍｅｔａｌ）型やＤＳＴＮ（Ｄｕａｌ  Ｓｃａｎ  ｓｕｐｅｒ  Ｔｗｉｓｔｅｄ  Ｎｅｍａｔｉｃ）型の液晶表示パネルさらにはそれ以外の構成としてもよい。透過反射板を透して結像された虚像の表示を可能にするものであれば、画像表示手段はいずれの構成であってもよい。また、画像表示手段は、画像表示面を備えたものに限定しない。例えば、プロジェクターから映像を投影するものであってもよい。ただし、この場合、プロジェクターからの映像を透過反射板に直接投影するのではなく、液晶表示パネル４を配置した位置にスクリーン等の映写幕部材を設け、透過反射板を通して映写幕部材に投影された表示の虚像を視認者に視認させることができる。
【００１８】
また、実施形態中では、画像表示手段（液晶表示パネル４）によって経路案内情報や車両状態情報等をグラフィック表示するようにしたが、画像表示手段による表示は、これに限定されるものではなく、例えば車両速度やエンジン回転数等のメータ表示、車両に搭載されるオーディオ関連の表示、あるいは車両に搭載されるエアコン関連の表示を画像表示手段で表示するようにしてもよい。
【００１９】
さらには、画像表示手段（液晶表示パネル４）の虚像表示を表示手段（アナログ式メータ２）の表示に対して、ほぼ同一位置と後方位置との間で変更可能にしているが、この構成に限定されるものではなく、画像表示手段の虚像表示を表示手段の表示に対して前方位置に変更するようにしてもよい。
【００２０】
すなわち、画像表示手段の虚像表示と表示手段の表示との前後方向における位置関係を変更する構成において、画像表示手段の虚像表示及び表示手段の表示のいずれか一方で運転者等の視認者に与える情報のうち重要性の高いものを表示する一方、他方で重要性の低いものを表示するようにすれば、重要性の高い情報を視認者側に近い位置で表示して重要性の低い情報を視認者側から遠い位置で表示する等で表すことができるので、運転者等の視認者に与える情報の重要性に優劣を付けて表現することができる。
【００２１】
また、上記した画像表示手段の虚像表示と表示手段の表示との前後方向における位置関係を変更する構成において、画像表示手段の虚像表示及び表示手段の表示のいずれか一方で自車両を表示する一方、他方で周辺車両を表示するようにしてもよい。この構成によれば、自車両が周辺車両を追い抜いたりあるいは周辺車両が自車両を追い抜く等の動きを、画像表示手段の虚像表示と表示手段の表示との位置関係を変更する表示で再現することができるので、自車両と周辺車両との位置関係を現実世界での前後関係と対応されて表現することができる。
【００２２】
なお、画像表示手段を移動可能に設けることで、画像表示手段の虚像表示と表示手段の表示との前後方向における位置関係を変更する構成として、画像表示手段を複数設け、そのうちの少なくとも１つの画像表示手段を移動可能に設けるようにしてもよい。この変形例の構成について図５を参照して説明する。以下の説明では、上記した第１実施形態と同様の構成については、同一の符号を付記するとともにその詳細な説明を省略する。
【００２３】
図５に示すように、第１実施形態の変形例の車両用表示装置２０は、アナログ式メータ２（本発明の表示手段）と、該アナログ式メータ２の前方に配置される透過反射板３と、透過反射板３を透して結像された虚像表示をアナログ式メータ２の表示と重ねて表示するＴＦＴ型の２つの液晶表示パネル２１，２２（本発明の画像表示手段）と、を備えている。液晶表示パネル２１，２２は、各々の画像表示面２１ａ，２２ａを同一平面上に揃えた状態で透過反射板３の上方に配置される。２つの液晶表示パネル２１，２２のうち視認者側に配置された液晶表示パネル２２には、パネル移動機構８が設けられる。これにより、液晶表示パネル２２は、パネル位置Ａ（透過反射板３に最も近づいた位置）とパネル位置Ｂ（透過反射板３から最も遠ざかった位置）との間でスライド移動が可能になっている。
【００２４】
そして、液晶表示パネル２２がパネル位置Ａに移動したとき、言い換えれば液晶表示パネル２１，２２の各画像表示面２１ａ，２２ａが同一平面上に揃ったときには、液晶表示パネル２１の虚像表示Ｋ１Ａと液晶表示パネル２２の虚像表示Ｋ２Ａとは、視認者の視線上において同一平面上に揃いかつアナログ式メータ２の表示（表示面２ａ）とほぼ同一の位置で重ねて表示される。一方、液晶表示パネル２２がパネル位置Ｂに移動したとき、言い換えれば液晶表示パネル２２の画像表示面２２ａが液晶表示パネル２１の画像表示面２１ａよりも上方に移動して透過反射板３から遠ざかったときには、液晶表示パネル２２の虚像表示Ｋ２Ｂは、視認者の視線上においてアナログ式メータ２の表示（表示面２ａ）よりも後方の位置で重ねて表示される。このとき、液晶表示パネル２１は、移動することなくパネル位置Ａに配置された状態を維持している。このため、液晶表示パネル２１の虚像表示Ｋ１Ａは、アナログ式メータ２の表示（表示面２ａ）とほぼ同一の位置を維持した状態で表示される。
【００２５】
すなわち、図５に示す第１実施形態の変形例の構成によれば、画像表示手段を複数設け（図５中には画像表示手段を２つ設けた場合を例示）、そのうちの少なくとも１つの画像表示手段を移動可能に設けることで（図５中には１つの画像表示手段を移動可能に設けた場合を例示）、画像表示手段の虚像表示の一部分（液晶表示パネル２２の虚像表示）を表示手段の表示との間で前後方向における位置関係を変更するようになっている。
【００２６】
ところで、上記した第１実施形態では、画像表示手段の虚像表示と表示手段の表示との前後方向における位置関係を変更する本発明の表示位置変更手段を、画像表示手段を移動させる画像表示移動手段（パネル移動機構８）で構成しているが、表示位置変更手段は画像表示移動手段に限定されるものではない。以下、表示位置変更手段をその他の手段で構成した第２ないし第４の実施形態について説明する。
【００２７】
〔第２実施形態〕
図６に示すように、第２実施形態の車両用表示装置３０は、アナログ式メータ２（本発明の表示手段）と、該アナログ式メータ２の前方に配置される透過反射板３と、透過反射板３を透して結像された虚像表示をアナログ式メータ２の表示と重ねて表示するＴＦＴ型の液晶表示パネル４（本発明の画像表示手段）と、アナログ式メータ２をスライド移動させるメータ移動機構３１（本発明の表示位置変更手段及び表示移動手段）と、を備えている。メータ移動機構３１は、前述した第１実施形態のパネル移動機構８と同様に、ＬＭレール、ＬＭブロック、ピニオン、及びステップモータを備えた周知のＬＭガイドから構成されておりその詳細な説明を省略する。
【００２８】
メータ移動機構３１は、そのＬＭレールの条設方向がアナログ式メータ２の表示面２ａと直交する方向に設定されることで、アナログ式メータ２を表示面２ａと直交する方向にスライド移動する。すなわち、第２実施形態の構成によれば、アナログ式メータ２にメータ移動機構３１を設けることで、メータ位置Ａ（透過反射板３に最も近づいた位置）とメータ位置Ｂ（透過反射板３から最も遠ざかった位置）との間でのアナログ式メータ２のスライド移動を可能にしている。これにより、アナログ式メータ２と透過反射板３との間の距離を変更して、透過反射板３を透して視認者が視認するアナログ式メータ２の表示位置を異ならせるようになっている。具体的に、アナログ式メータ２がメータ位置Ａに移動したときの液晶表示パネル４の虚像表示ＫＡは、視認者の視線上においてアナログ式メータ２の表示（表示面２ａ）とほぼ同一の位置で重ねて表示される。一方、アナログ式メータ２がメータ位置Ｂに移動したときの液晶表示パネル４の虚像表示ＫＡは、視認者の視線上においてアナログ式メータ２の表示（表示面２ａ）よりも前方の位置で重ねて表示される。
【００２９】
以上のように、第２実施形態では、画像表示手段の虚像表示と表示手段の表示との前後方向における位置関係を変更する本発明の表示位置変更手段を、表示手段を移動させる表示移動手段（メータ移動機構３１）で構成している。なお、表示手段を複数設け、そのうちの少なくとも１つの表示手段を移動可能に設けるようにしてもよい。この変形例の構成について図７を参照して説明する。以下の説明では、上記した第２実施形態と同様の構成については、同一の符号を付記するとともにその詳細な説明を省略する。
【００３０】
図７に示すように、第２実施形態の変形例の車両用表示装置４０は、２つのアナログ式メータ４１，４２（本発明の表示手段）と、該アナログ式メータ４１，４２の前方に配置される透過反射板３と、透過反射板３を透して結像された虚像表示をアナログ式メータ４１，４２の表示と重ねて表示するＴＦＴ型の液晶表示パネル４（本発明の画像表示手段）と、を備えている。アナログ式メータ４１，４２は、各々の表示面４１ａ，４２ａを同一平面上に揃えた状態で透過反射板３の後方に配置される。２つのアナログ式メータ４１，４２のうち下側に配置されたアナログ式メータ４２には、メータ移動機構３１が設けられる。これにより、アナログ式メータ４２は、メータ位置Ａ（透過反射板３に最も近づいた位置）とメータ位置Ｂ（透過反射板３から最も遠ざかった位置）との間でスライド移動が可能になっている。
【００３１】
そして、アナログ式メータ４２がメータ位置Ａに移動したときには、アナログ式メータ４１，４２の表示（表示面４１ａ，４２ａ）は、視認者の視線上において同一平面上に揃いかつ液晶表示パネル４の虚像表示ＫＡとほぼ同一の位置で重ねて表示される。一方、アナログ式メータ４２がメータ位置Ｂに移動したときには、アナログ式メータ４２の表示（表示面４２ａ）は、透過反射板３から遠ざかる方向に移動することで、視認者の視線上において液晶表示パネル４の虚像表示ＫＡよりも後方の位置で重ねて表示される。このとき、アナログ式メータ４１は、移動することなくメータ位置Ａに配置された状態を維持している。このため、アナログ式メータ４１の表示（表示面４１ａ）は、液晶表示パネル４の虚像表示ＫＡとほぼ同一の位置を維持した状態で表示される。
【００３２】
すなわち、図７に示す第２実施形態の変形例の構成によれば、画像表示手段を複数設け（図７中には表示手段を２つ設けた場合を例示）、そのうちの少なくとも１つの表示手段を移動可能に設けることで（図７中には１つの表示手段を移動可能に設けた場合を例示）、表示手段の表示の一部分（アナログ式メータ４２の表示）を画像表示手段の虚像表示との間で前後方向における位置関係を変更するようになっている。
【００３３】
〔第３実施形態〕
図８に示すように、第３実施形態の車両用表示装置５０は、アナログ式メータ２（本発明の表示手段）と、該アナログ式メータ２の前方に配置される透過反射板３と、透過反射板３を透して結像された虚像表示をアナログ式メータ２の表示と重ねて表示するＴＦＴ型の液晶表示パネル４（本発明の画像表示手段）と、透過反射板３をスライド移動させるミラー移動機構５１（本発明の表示位置変更手段及び透過反射板移動手段）と、を備えている。ミラー移動機構５１は、前述した第１実施形態のパネル移動機構８と同様に、ＬＭレール、ＬＭブロック、ピニオン、及びステップモータを備えた周知のＬＭガイドから構成されておりその詳細な説明を省略する。
【００３４】
ミラー移動機構５１は、そのＬＭレールの条設方向が視認者の視線と平行な方向に設定されることで、透過反射板３を視認者の視線と平行な方向にスライド移動する。すなわち、第３実施形態の構成によれば、透過反射板３にミラー移動機構５１を設けることで、ミラー位置Ａ（視認者から最も遠ざかった位置）とミラー位置Ｂ（視認者に最も近づいた位置）との間での透過反射板３のスライド移動を可能にしている。これにより、液晶表示パネル４と透過反射板３との間の距離を変更して、液晶表示パネル４から投影された画像が透過反射板３を透して視認者の視線上で結像される位置を異ならせるようになっている。具体的に、透過反射板３がミラー位置Ａに移動したときの液晶表示パネル４の虚像表示ＫＡは、視認者の視線上においてアナログ式メータ２の表示（表示面２ａ）とほぼ同一の位置で重ねて表示される。一方、透過反射板３がミラー位置Ｂに移動したときの液晶表示パネル４の虚像表示ＫＣは、視認者の視線上においてアナログ式メータ２の表示（表示面２ａ）よりも前方の位置で重ねて表示される。
【００３５】
なお、透過反射板３がミラー位置Ｂに移動した場合、液晶表示パネル４の後側部分（アナログ式メータ２側の部分）の下方には透過反射板３が配置されなくなる。このため、液晶表示パネル４の後側部分に表示される画像は、透過反射板３を通して、視認者の視線上において虚像表示されることがない。これに対して、液晶表示パネル４の前側部分（視認者側の部分）においては、その下方に配置される透過反射板３までの距離が近づくことになる。このため、液晶表示パネル４の前側部分に表示される画像が、アナログ式メータ２の表示（表示面２ａ）の上側部分にその前方位置で重なるようにして虚像表示ＫＣとして表示される。
【００３６】
以上のように、第３実施形態では、画像表示手段の虚像表示と表示手段の表示との前後方向における位置関係を変更する本発明の表示位置変更手段を、透過反射板を移動させる透過反射板移動手段（ミラー移動機構５１）で構成している。なお、透過反射板を複数設け、そのうちの少なくとも１つの透過反射板を移動可能に設けるようにしてもよい。この変形例の構成について図９を参照して説明する。以下の説明では、上記した第３実施形態と同様の構成については、同一の符号を付記するとともにその詳細な説明を省略する。
【００３７】
図９に示すように、第３実施形態の変形例の車両用表示装置６０は、アナログ式メータ２（本発明の表示手段）と、該アナログ式メータ２の前方に配置される２つの透過反射板６１，６２と、透過反射板６１，６２を透して結像された虚像表示をアナログ式メータ２の表示と重ねて表示するＴＦＴ型の液晶表示パネル４（本発明の画像表示手段）と、を備えている。透過反射板６１，６２は、各々の表面を同一平面上に揃えた状態でアナログ式メータ２と液晶表示パネル４との間で斜めに配置される。２つの透過反射板６１，６２のうち下側に配置された透過反射板６２には、ミラー移動機構５１が設けられる。これにより、透過反射板６２は、ミラー位置Ａ（液晶表示パネル４から最も遠ざかった位置）とミラー位置Ｂ（液晶表示パネル４に最も近づいた位置）との間でスライド移動が可能になっている。
【００３８】
そして、透過反射板６２がミラー位置Ａに移動したとき、言い換えれば透過反射板６１，６２の各表面が同一平面上に揃ったときには、液晶表示パネル４の後側部分（アナログ式メータ２側の部分）に表示される画像は、視認者の視線上において透過反射板６１を透して虚像表示ＫＡ１として表示され、液晶表示パネル４の前側部分（視認者側の部分）に表示される画像は、視認者の視線上において透過反射板６２を透して虚像表示ＫＡ２として表示される。このとき、液晶表示パネル４の虚像表示ＫＡ１と液晶表示パネル４の虚像表示ＫＡ２とは、それぞれ視認者の視線上において同一平面上に揃いかつアナログ式メータ２の表示（表示面２ａ）とほぼ同一の位置で重ねて表示される。
【００３９】
一方、透過反射板６２がミラー位置Ｂに移動したとき、言い換えれば透過反射板６２が上方に移動して液晶表示パネル４に近づくとともに透過反射板６１の前方に重なるように配置されたときには、液晶表示パネル４の前側部分に表示される画像は、アナログ式メータ２の表示（表示面２ａ）の上側部分にその前方位置で重なるようにして虚像表示ＫＢ２として表示される。このとき、透過反射板６１は、移動することなくミラー位置Ａに配置された状態を維持している。このため、液晶表示パネル４の後側部分に表示される画像は、アナログ式メータ２の表示（表示面２ａ）とほぼ同一の位置を維持した状態の虚像表示ＫＡ１として表示される。これにより、アナログ式メータ２の表示（表示面２ａ）の上側部分には、その表示とほぼ同一位置で液晶表示パネル４の虚像表示ＫＡ１が表示され、またその前方位置で重なるように液晶表示パネル４の虚像表示ＫＢ２が表示される。
【００４０】
すなわち、図９に示す第３実施形態の変形例の構成によれば、透過反射板を複数設け（図９中には透過反射板を２つ設けた場合を例示）、そのうちの少なくとも１つの透過反射板を移動可能に設けることで（図９中には１つの透過反射板を移動可能に設けた場合を例示）、画像表示手段の虚像表示の一部分（液晶表示パネル４の前側部分に表示される画像の虚像表示）を表示手段の表示との間で前後方向における位置関係を変更するようになっている。
【００４１】
〔第４実施形態〕
図１０に示すように、第４実施形態の車両用表示装置７０は、アナログ式メータ２（本発明の表示手段）と、該アナログ式メータ２の前方に配置される透過反射板７１と、透過反射板７１を透して結像された虚像表示をアナログ式メータ２の表示と重ねて表示するＴＦＴ型の液晶表示パネル４（本発明の画像表示手段）と、を備えている。透過反射板７１は、段差が付いた形状に形成されることで、第１及び第２の２つの段差面７１ａ，７１ｂを備えている。第１段差面７１ａは、液晶表示パネル４の後側部分（アナログ式メータ２側の部分）の下方であり、かつアナログ式メータ２の上側部分の前方となる位置に配置され、第２段差面７１ｂは、液晶表示パネル４の前側部分（視認者側の部分）の下方であり、かつアナログ式メータ２の中央部分の前方となる位置に配置される。
【００４２】
そして、液晶表示パネル４の後側部分に表示される画像が、透過反射板７１の第１段差面７１ａを透してアナログ式メータ２の表示（表示面２ａ）の上側部分にその表示とほぼ同一位置で重なるようにして虚像表示Ｋ１として表示される。また、液晶表示パネル４の前側部分に表示される画像が、透過反射板７１の第２段差面７１ｂを透してアナログ式メータ２の表示（表示面２ａ）の中央部分にその前方位置で重なるようにして虚像表示Ｋ２として表示される。すなわち、第４実施形態の構成によれば、液晶表示パネル４から透過反射板７１に投影される画像に対して、視認者の視線上において２つの段差面７１ａ，７１ｂで作られる虚像の結像位置を異ならせることで、アナログ式メータ２の表示（表示面２ａ）との間で前後方向における位置関係を異ならせた２つの虚像表示Ｋ１，Ｋ２を同時に表示するようになっている。
【００４３】
以上のように、図１０に示す第４実施形態では、透過反射板を少なくとも２つ以上の段差（図１０中には段差面が２つの場合を例示）が付いた形状に形成し、その透過反射板の各段差面で作られる虚像の結像位置を異ならせることで表示位置変更手段を構成している。
【００４４】
以上、本発明の実施形態を説明したが、これはあくまで例示に過ぎず、本発明はこれに限定されるものではなく、特許請求の範囲の趣旨を逸脱しない限りにおいて種々の変更が可能である。例えば、実施形態中では、ＬＭレール、ＬＭブロック、ピニオン、及びステップモータを備えたＬＭガイドから画像表示移動手段、表示移動手段、透過反射板移動手段を構成しているが、この構成に限定されるものではなく、モータやソレノイド等の駆動源の動力に基づいて画像表示手段、表示手段、あるいは透過反射板を移動させる構成であれば、いずれの構成であってもよい。
【符号の説明】
【００４５】
１  車両用表示装置
２  アナログ式メータ（表示手段）
３  透過反射板
４  液晶表示パネル（画像表示手段）
８  パネル移動機構（表示位置変更手段、画像表示移動手段）
２０  車両用表示装置
２１，２２  液晶表示パネル（画像表示手段）
３０  車両用表示装置
３１  メータ移動機構（表示位置変更手段、表示移動手段）
４０  車両用表示装置
４１，４２  アナログ式メータ（表示手段）
５０  車両用表示装置
５１  ミラー移動機構（表示位置変更手段、透過反射板移動手段）
６０  車両用表示装置
６１，６２  透過反射板
７０  車両用表示装置
７１  透過反射板
７１ａ，７１ｂ  段差面
【図１】
2014228370.tif 000003
【図２】
2014228370.tif 000004
【図３】
2014228370.tif 000005
【図４】
2014228370.tif 000006
【図５】
2014228370.tif 000007
【図６】
2014228370.tif 000008
【図７】
2014228370.tif 000009
【図８】
2014228370.tif 000010
【図９】
2014228370.tif 000011
【図１０】
2014228370.tif 000012